(57)【要約】【課題】防排煙端末を制御する防災システムにおいて、簡単な回路構成で、防排煙端末への制御信号送出、電源供給を確実に行う。【解決手段】電気的に分離された一対の制御線及び一対の電源線を介して火災受信機とアダプタを接続し、火災受信機から送信される防排煙端末制御信号をアダプタにおいて起動制御または復帰制御かを判断して防排煙端末を制御する。また防排煙端末の作動を検出する作動応答信号および制御線または電源線の異常を検出する異常検出信号を火災受信機へ出力する。【選択図】図１
2005293510.tif 000002
【特許請求の範囲】
【請求項１】
一対の制御線に接続されたアダプタと、一対以上の線路を介してアダプタと接続された防排煙端末とを有する防災システムにおいて、
前記アダプタは、
前記防排煙端末を起動または復帰させる電力を前記制御線と電気的に分離されて供給する一対の電源線に接続され、
前記制御線に印可された所定の電圧を監視し、
前記所定の電圧が所定の監視電圧よりも高くなると防排煙端末を起動させ、前記所定の監視電圧より高い状態が所定時間以上検出されなくなると防排煙端末を復帰させる制御信号検出手段を備え、
防排煙端末を起動または復帰させる電力を前記電源線から供給し、前記複数対の線路を介して防排煙端末に出力する
ことを特徴とする防災システム。
【請求項２】
前記アダプタは、
前記制御信号検出手段で前記所定の監視電圧よりも高い所定の電圧を検出すると防排煙端末を起動させる起動制御信号を出力し、
前記起動制御信号出力後に、前記所定の監視電圧より低い所定の電圧を所定時間以内検出したときに前記起動制御信号の出力を継続し、
前記所定の監視電圧より低い所定の電圧を所定時間以上検出したときに防排煙端末を復帰させる復帰制御信号を出力し、
前記起動制御信号を入力すると前記電源線から電力を供給し、前記線路を介して防排煙端末を起動させる電力を出力する起動制御出力回路と、
前記復帰制御信号を入力すると前記電源線から電力を供給し、前記線路を介して防排煙端末を復帰させる電力を出力する復帰制御出力回路と
をさらに備えたことを特徴とする請求項１に記載の防災システム。
【請求項３】
前記アダプタは、前記電源線の異常を検出すると前記制御線に前記所定の電圧よりも高い所定の異常検出電圧を出力する電源線異常検出手段を備えたことを特徴とする請求項１乃至請求項２に記載の防災システム。
【発明の詳細な説明】
【技術分野】
【０００１】
この発明は、線路を介して火災受信機と防排煙端末との間を接続し、防排煙端末の制御と作動監視を行う防災システムに関する。
【背景技術】
【０００２】
火災受信機と防火戸や排煙機などの防排煙端末とを３本又は２本の配線で接続し、防排煙端末の制御および作動確認を行う制御装置がある。
【０００３】
従来の防災システムとして特許文献１に開示されているシステム構成を図３に示す。防災システム１０は火災受信機２０と、火災受信機２０と第１の制御線Ｄ−Ｍ、第１の共通線ＤＣ−Ｍの２線を介して接続されたアダプタ３０、アダプタ３０と第２の制御線Ｄ、第２の共通線ＤＣ、応答線ＤＡで接続された防排煙端末４０から構成される。ここで図示しない火災感知器などから火災信号を受信すると、火災受信機２０は設定に基づいて防排煙端末４０を起動する起動信号を制御線Ｄ−Ｍを介して出力する。防排煙端末４０は起動信号により作動するとともに、応答線ＤＡを介してアダプタ３０及び火災受信機２０に応答信号を出力する。応答信号を受信した火災受信機２０は、図示しない応答回路により防排煙端末３０が作動したことを確認する。
【特許文献１】特願２００２−３７３３８２号
【発明の開示】
【発明が解決しようとする課題】
【０００４】
上記従来技術によれば、防排煙機端末の起動制御と作動監視を確実に行うことができたが、２線のみを使用して制御線の断線短絡信号と作動応答信号を確認するため、すなわち一対の制御線により防排煙端末への電力供給も行うので、定期的に制御出力を瞬断させて断線短絡の監視を行う必要があった。
【０００５】
しかし、上記従来技術を使用すると、例えば瞬断を起動信号と判断してしまう（制御信号の瞬断を許容しない）防排煙端末の接続が困難となる問題があった。
【０００６】
また制御線と電源線を同一にすると、火災受信機から制御信号と制御電流も防排煙端末に流しているため、配線を長くすると電圧降下が大きくなる。このため消費電力の大きい防排煙端末を前記システムに接続する場合には配線距離を制限しなければならい問題や、電圧によりアダプターを制御しているので大きい電圧降下が起こるとアダプターが正常動作できなくなるという問題もあった。
【０００７】
従って本発明は、上記課題を克服し、簡単な構成で火災受信機と防排煙端末とを接続する線路の状態および防排煙端末の作動状態がわかる防災システムを提供することを目的とする。
【課題を解決するための手段】
【０００８】
上記課題を解決するため、本発明の請求項１に記載の発明は、一対の制御線に接続されたアダプタと、一対以上の線路を介してアダプタと接続された防排煙端末とを有する防災システムにおいて、
アダプタは、
前記防排煙端末を起動または復帰させる電力を前記制御線と電気的に分離されて供給する一対の電源線に接続され、
前記制御線に印可された所定の電圧を監視し、
前記所定の電圧が所定の監視電圧よりも高くなると防排煙端末を起動させ、前記所定の監視電圧より高い状態が所定時間以上検出されなくなると防排煙端末を復帰させる制御信号検出手段を備え、
防排煙端末を起動または復帰させる電力を前記電源線から供給し、前記複数対の線路を介して防排煙端末に出力する
構成とした。
【０００９】
この請求項１に記載の発明によれば、防排煙端末を制御する防災システムにおいて、防排煙端末への電源供給を制御線と電気的に分離して行うので、防排煙端末へ瞬断されることなく電源供給ができる。また、配線間距離を伸ばすことが可能になる。
【００１０】
また、請求項２記載の発明は、請求項１に記載された防災システムにおいて、アダプタは、
前記制御信号検出手段で前記所定の監視電圧よりも高い所定の電圧を検出すると防排煙端末を起動させる起動制御信号を出力し、
前記起動制御信号出力後に、前記所定の監視電圧より低い所定の電圧を所定時間以内検出したときに前記起動制御信号の出力を継続し、
前記所定の監視電圧より低い所定の電圧を所定時間以上検出したときに防排煙端末を復帰させる復帰制御信号を出力し、
前記起動制御信号を入力すると前記電源線から電力を供給し、前記線路を介して防排煙端末を起動させる電力を出力する起動制御出力回路と、
前記復帰制御信号を入力すると前記電源線から電力を供給し、前記線路を介して防排煙端末を復帰させる電力を出力する復帰制御出力回路と
をさらに備えた構成とした。
【００１１】
この請求項２に記載の発明によれば、アダプタの制御信号検出手段で検出される制御線からの電圧について、瞬断信号と防排煙端末復帰制御信号の識別を可能とした。
【００１２】
また、請求項３記載の発明は、請求項１乃至請求項２に記載された防災システムのアダプタに、
前記電源線の異常を検出すると前記制御線に前記所定の電圧よりも高い所定の異常検出電圧を出力する電源線異常検出手段
を備えた構成とした。
【００１３】
この請求項３の発明によれば、一対の制御線と電気的に分離された一対の電源線の異常を検出することを可能とした。
【発明の効果】
【００１４】
本発明によれば、防排煙端末を制御する防災システムにおいて、簡単な構成で防排煙端末の制御線と電源線との短絡を保護できるとともに防排煙端末を作動させる電源の瞬断が無くなり防排煙端末への確実な電源供給により起動・復帰制御を行うことができる。また火災受信機と電源線間の配線間距離を伸ばすことができるとともに制御線と電源線の異常検出ができる。
【発明を実施するための最良の形態】
【００１５】
以下、図を参照して本発明の実施の形態について詳細に説明する。
まず、防災システム１０の構成を説明する。図１は防災システム１０の簡単な回路構成を示す図である。
尚、図３と同様の機能及び名称を有するものについては同じ番号が記載されている。
【００１６】
防災システム１０は、火災受信機２０、制御線Ｄ−Ｍと第１の共通線ＤＣ−Ｍ（一対の制御線）、電源線Ｐ＋と第２の共通線Ｐ−（一対の電源線）、制御線と電源線を介して接続されたアダプタ３０、アダプタ３０と起動制御線Ｄ、第２の共通線ＤＣ、応答線ＤＡ−Ｍ、第１の共通線ＤＣ−Ｍ、復帰制御線Ｄｆ及び第２の共通線ＤＣｆを介して接続された防排煙端末４０から構成される。なお、図１では１組のアダプタ３０と防排煙端末４０を示しているが、アダプタおよび防排煙端末の複数組が各組毎に一対の制御線と一対の電源線を介して火災受信機に接続されている構成でも良い。
【００１７】
火災受信機２０は、ビルの防災センターや集合住宅の管理人室等に設置され、建物全体の監視を行うものである。図示しない火災感知器などから火災信号を受信すると、火災受信機２０に設けられた図示されない操作パネルのスイッチ操作（手動）や自動制御を行い、連動設定等の各種設定に基づいて防排煙端末４０を起動または復帰させる。
【００１８】
アダプタ３０は、従来から用いられている３線式の防排煙端末や復帰機能を兼ね備えた防排煙端末４０などを本発明の防災システム１０に接続するために使用されるものである。
【００１９】
防排煙端末４０は例えば防火戸、排煙機などであり、火災受信機２０からの制御信号により所定の動作を行うとともに、応答線ＤＡを介して作動応答信号を出力する。
【００２０】
火災受信機２０には、防排煙端末４０を作動させるときに閉じられる制御接点Ｓ１、制御接点Ｓ１と並列に接続された抵抗Ｒ１、電圧変化を検出する状態検出部２１（状態検出手段）、アダプタ３０及び防排煙端末４０へ電力を供給するアイソレータ２２が設けられている。
【００２１】
ここでアイソレータ２２は、火災受信機２０の電源を絶縁型ＤＣ−ＤＣコンバータによって制御接点Ｓ１、抵抗Ｒ１、更には制御線Ｄ−Ｍ及び第１の共通線ＤＣ−Ｍ（一対の制御線）により構成される制御系統の各回路部（火災受信機２０の制御接点Ｓ１や抵抗Ｒ１あるいはアダプタ３０の制御電圧検出回路３１等）と、電源線Ｐ＋及び第２の共通線Ｐ−（一対の電源線）により構成される電源系統の各回路部（アダプタ３０の起動制御出力回路３６や防排煙端末４０の復帰部４２等）を電気的に分離している。
【００２２】
アダプタ３０には制御線Ｄ−Ｍと第１の共通線ＤＣ−Ｍ間の電圧（制御信号）を検出する制御電圧検出回路３１、立上り検出回路３２、立下り検出回路３３、タイマ１（３４）、タイマ２（３５）、起動制御出力回路３６、復帰制御出力回路３７、応答線ＤＡ−Ｍと直列に接続された抵抗Ｒ２、制御線Ｄ−Ｍと第１の共通線ＤＣ−Ｍの間に接続された抵抗Ｒ３、抵抗Ｒ３と直列に接続された電源監視接点Ｓ３を備えた電源監視部（電源監視リレー）が設けられている。
【００２３】
防排煙端末４０にはアダプタ３０の起動制御部３６から所定の作動電圧が印加され、一対の電源線から電力を供給して作動する駆動部４１、駆動部４１の作動により起動制御線Ｄ側の接点ｂから応答線ＤＡ−Ｍ側の接点ａに切り換わる作動応答接点Ｓ２、復帰制御部３７からの所定の作動電圧が印可され所定の作動電圧が印加され、一対の電源線から電力を供給して作動する復帰部４２が設けられている。起動部４１や復帰部４２としては、例えばソレノイドなどが用いられる。
【００２４】
監視時と防排煙端末の制御時の動作についてそれぞれ説明する。
なお説明の都合上、防排煙端末４０を作動させる所定の作動電圧（一対の電源線の電圧）をＥｖ（Ｖ）とし、火災受信機２０からアダプタ３０へ出力される防排煙端末３０の制御信号（制御電圧）をＥｓ（Ｖ）とし、抵抗Ｒ１、抵抗Ｒ２、抵抗Ｒ３はそれぞれ同じ抵抗値とする。また後述するアダプタ３０の制御電圧検出回路３１は２／３Ｅｓ（Ｖ）（所定の監視電圧）以上の電圧を検出したときにＨｉｇｈの信号（起動制御信号）を出力し、２／３Ｅｓ（Ｖ）以下の電圧を検出するときはＬｏｗの信号（復帰制御信号）を出力するものとする（所定の監視電圧）。必ずしもこの電圧値２／３Ｅｓ（Ｖ）に限られず、所定の監視電圧が検出できればよい。また後述する制御電圧検出回路３１は、十分大きな入力抵抗を持ち、回路の動作に影響しないものとする。
【００２５】
監視時には火災受信機２０の制御接点Ｓ１は開いた状態であり、アダプタ３０の電源監視接点Ｓ３は閉じた状態である。状態検出部２１（状態検出手段）で検出される正常監視時のＡ点の電圧（所定の電圧）は、抵抗Ｒ１と抵抗Ｒ３との合成抵抗でＥｓを分圧した電圧となるので、１／２Ｅｓ（Ｖ）となる。
【００２６】
もしここで制御線Ｄ−Ｍと第１の共通線ＤＣ−Ｍ（一対の制御線）に短絡が発生した場合にはＡ点の電圧が０（Ｖ）となる。また制御線Ｄ−Ｍと第１の共通線ＤＣ−Ｍ（一対の制御線）に断線が発生した場合にはＡ点の電圧はＥｓ（Ｖ）となる。
【００２７】
また、電源線Ｐ＋と第２の共通線Ｐ−（一対の電源線）が断線した場合には、電源監視部の電源監視リレーのコイルに電源が供給されなくなり電源監視部の電源監視接点Ｓ３を開く。電源監視接点Ｓ３が開放されると、抵抗Ｒ３と第１の共通線ＤＣ−Ｍとの接続が断たれるので、制御線Ｄ−Ｍと第１の共通線（一対の制御線）が断線した状態と同じになり、Ａ点の電圧はＥｓ（Ｖ）となる。
【００２８】
電源線Ｐ＋と第２の共通線Ｐ−（一対の電源線）に短絡が発生した場合には電源監視部の電源監視リレーのコイルに電源が供給されなくなる。すなわち一対の電源線が断線した場合や一対の制御線が断線した場合と同じ状態になり、Ａ点の電圧はＥｓ（Ｖ）となる。
すなわち、電源監視部が本発明の電源線異常検出手段である。
【００２９】
このように状態検出手段がＡ点の電圧を監視することにより、一対の制御線の正常、短絡、断線の状態や一対の電源線の正常、短絡又は断線の状態を検出することができる。状態検出部２１としては電圧変化を検出できるもの、例えばコンパレーターやＡ／Ｄコンバータなどが使用される。なお、一対の制御線のいずれか一方と一対の電源線のいずれか一方との短絡は制御系と電源系を電気的に分離しているので発生しない。
【００３０】
ついで防排煙端末の制御時の動作を説明する。
ここでアダプタ３０の制御電圧検出回路３１、立上り検出回路３２、立下り検出回路３３、タイマ１（３４）及びタイマ２（３５）は、一つのＣＰＵで構成されており、火災受信機２０からの制御電圧Ｅｓ（Ｖ）をもとにＣＰＵ内で処理されるものとする。なお、アダプタ３０の各回路部を抵抗、トランジスタ、リレー、フォトカプラ、コンデンサ等の半導体素子でアナログ回路構成することも容易に実現可能である。
【００３１】
またアダプタ３０の制御電圧検出回路３１は２／３Ｅｓ（Ｖ）以上の電圧を検出したときに立上り検出回路３２、立下り検出回路３３へＨｉｇｈの信号（起動制御信号）を出力するので、２／３Ｅｓ（Ｖ）以下の電圧を検出するときは立上り検出回路３２、立下り検出回路３３へＬｏｗの信号（復帰制御信号）を出力するものとする。
【００３２】
火災受信機２０は防排煙端末４０を作動させるために制御接点Ｓ１を閉じる。このときアダプタ３０への入力電圧はＥｓ（Ｖ）となる。また火災受信機２０は、防排煙端末４０の作動を確認するため、定期的（例えば数秒おき）に制御接点Ｓ１を開く制御も行っている。このときアダプタ３０への入力電圧は正常監視時のＡ点の電圧（所定の電圧）と同じになり、すなわち、抵抗Ｒ１と抵抗Ｒ３との合成でＥｓを分圧した電圧１／２Ｅｓ（Ｖ）となる。
【００３３】
従って制御接点Ｓ１が閉じられたときに制御電圧検出回路３１は立上り検出回路３２、立下り検出回路３３へＨｉｇｈの信号（起動制御信号）を出力し、制御接点Ｓ１が定期的に開かれたときに瞬断信号として立上り検出回路３２、立下り検出回路３３へＬｏｗの信号（復帰制御信号）を出力する。
【００３４】
図２は一対の制御線を介してアダプタ３０へ入力される制御信号（所定の電圧）とその制御信号に基づいて制御電圧監視手段３１が後段の立上り検出回路３２及び立下り検出回路３３への出力する制御電圧（起動制御信号、駆動制御信号）を示した図である。
【００３５】
例えば、火災受信機２０に設けられた図示されない防排煙制御用の操作パネルの防排煙作動スイッチを押すと制御接点Ｓ１が閉じてＡ点の電圧はＥｓ（Ｖ）となるが、火災受信機２０の制御により、定期的に制御接点Ｓ１が開放されて瞬断されるので、瞬断時はＡ点の電圧は１／２Ｅｓ（Ｖ）になる。従って火災受信機２０からは、図２のような定期的に時間Ｔａの間１／２Ｅｓ（Ｖ）となる電圧Ｅｓ（Ｖ）の起動制御信号が制御電圧検出回路３１に送出される。
【００３６】
制御電圧検出回路３１は、作動スイッチ押圧後、制御電圧Ｅｓ（Ｖ）を検出すると、監視電圧２／３Ｅｓ（Ｖ）以上であるので、立上り検出回路３２および立下り検出回路３３へＨｉｇｈの信号を出力する。しかしその後瞬断信号の１／２Ｅｓ（Ｖ）の信号を時間Ｔａの間検出するが、予め設定された時間Ｔｂ以上検出しない場合には、立上り検出回路３２および立下り検出回路３３へＨｉｇｈの信号を継続して出力する。
【００３７】
立上り検出回路３２では、制御電圧検出回路３１から出力されるＨｉｇｈの信号（起動制御信号）の立上りを検出すると、その時点からタイマ１（３４）で計時を開始し、予め設定された時間（例えばｔ１秒間）だけ防排煙端末を起動制御する信号（起動制御信号）を起動制御出力回路３６へ出力する。
【００３８】
続いて起動制御出力回路３６は、制御線と電気的に分離された一対の電源線より防排煙端末４０の駆動部４１へ電力をｔ１秒間供給して防排煙端末４０を起動させる。ここで起動制御出力回路３６内の一対の電源線への電力供給の制御はリレーやフォトカプラ等を使用すれば良く、制御系統と電源系統の電気的接続が発生しないものであれば良い。
【００３９】
次に防排煙端末４０の作動応答確認について説明する。
防排煙端末４０が起動して作動が完了すると、作動応答接点Ｓ２が起動制御線Ｄ側のｂの位置から応答線ＤＡ−Ｍ側のａの位置に切り替わり、抵抗Ｒ２が応答線ＤＡ−Ｍと第１の共通線ＤＣ−Ｍを介して抵抗Ｒ３と並列接続される。すなわち抵抗Ｒ２は応答信号発生手段である。なお、作動応答接点Ｓ２は、制御系統と電源系統が電気的に分離された状態で接点の切り替えを行うものとする。
【００４０】
制御接点Ｓ１を開くことによりアダプタ３０への入力電圧が２／３Ｅｓ（Ｖ）以下となり、このときのＡ点の電圧は抵抗Ｒ１の抵抗値と、抵抗Ｒ２と抵抗Ｒ３の合成でＥｓ（Ｖ）を分圧した電圧となるので、１／３Ｅｓ（Ｖ）となる。
【００４１】
すなわちＡ点の電圧が１／３Ｅｓ（Ｖ）になったことを状態検出部２１が検出すると、火災受信機２０が防排煙端末４０の作動を確認したこととなる。
【００４２】
なお作動確認時に状態検出部２１で所定の端末作動応答電圧が検出されない場合（Ａ点の電圧が１／３Ｅｓ（Ｖ）以外）には何らかの異常が発生していることが分かる。もし防排煙端末４０が作動していない場合、Ａ点で検出される電圧は抵抗Ｒ１と抵抗Ｒ３でＥｓ（Ｖ）を分圧した電圧となるので、１／２Ｅｓ（Ｖ）となる。作動スイッチ押圧後、時間Ｔａを経過してもこの端末作動応答電圧１／３Ｅｓ（Ｖ）を状態検出部２１で検出しなければ、防排煙端末４０が不作動だったことが分かる。なお、この状態検出部２１で作動スイッチ押圧後に時間Ｔａ以上経過しても端末応答作動電圧を検出したか否かの判断は、火災受信機２０で判断することができる。
【００４３】
このように火災受信機２０が状態検出手段がＡ点の電圧を監視することにより、防排煙端末３０の作動状態を確認することができる。
【００４４】
防排煙を復帰させる場合は、火災受信機２０の図示されない防排煙制御用の操作パネルの防排煙を作動させる為の作動スイッチを解除すると火災受信機２０から制御接点Ｓ１が開かれた状態になる。すなわち図２のような制御信号、すなわち予め定められた時間Ｔｂ以上の間、１／２Ｅｓ（Ｖ）となる信号が制御電圧検出回路３１に送出される（時間Ｔｂ以上の間、Ｅｓ（Ｖ）である信号が制御電圧検出回路３１に送出されなくなる）。
【００４５】
制御電圧検出回路３１は、時間Ｔｂの間、電圧１／２Ｅｓ（Ｖ）の検出を継続すると、立上り検出回路３２および立下り検出回路３３へＬｏｗの信号（復帰制御信号）を出力する。
【００４６】
立下り検出回路３３では、制御電圧検出回路３１から出力されるＨｉｇｈの信号（起動制御信号）からＬｏｗの信号（復帰制御信号）の切り替わり、すなわち立下りを検出すると、その時点からタイマ２（３５）で計時を開始し、予め設定された時間（例えばｔ２秒間）だけ防排煙端末を復帰制御する信号（復帰制御信号）を復帰制御出力回路３７へ出力する。
【００４７】
続いて復帰制御出力回路３７は、制御線と電気的に分離された一対の電源線より防排煙端末４０の復帰部４２へ電力をｔ２秒間供給して防排煙端末４０を復帰させる。ここで復帰制御出力回路３７内の一対の電源線への電力供給の制御はリレーやフォトカプラ等を使用すれば良く、制御系統と電源系統の電気的接続が発生しないものであれば良い。
【００４８】
このように本発明は、応答信号線を省略して制御信号の送出を行うとともに防排煙端末の作動を監視する防災システムにおいて、一対の制御線からの電力供給を行わずに新たに一対の電力線を設け、電源監視部を設けることによりこれら２組の接続線を電気的に分離して互いの短絡を回避するとともに電源線および制御線の異常を検出できるようなる。
【００４９】
なお、本発明において本発明を逸脱しない範囲で適宜変更可能である。
例えば、アダプタ３０を防排煙端末４０と別体とせず、駆動信号検出手段と応答信号発生手段を防排煙端末４０内に組み込み、火災受信機２０と防排煙端末４０を互いに電気的に分離された制御線及び電源線を介して接続するようにしてもよい。
【００５０】
また本実施例において防排煙端末への制御操作（起動・復帰）は、火災受信機側２０の図示されない操作パネルの起動スイッチ操作（押圧・解除）により行ったが、起動スイッチと復帰スイッチを別に設けても良い。
【００５１】
また本実施例においては防排煙端末制御信号を制御線へ出力し、アダプタからの出力信号を検出して判断する状態検出部を備えた火災受信機について説明したが、これに限定されず、防災システムの上記制御機能を備えるものであれば良い（防災盤、連動制御盤等）。
【００５２】
また制御系統（制御線Ｄ−Ｍ及び第１の共通線ＤＣ−Ｍ）と電源系統（電源線Ｐ＋、第２の共通線Ｐ−）を電気的に分離する手段として絶縁型ＤＣ−ＤＣコンバータを使用したが、電気的に分離できれば他のアイソレータを使用したり、あるいは他の手段を使用したりしても良い。なお、本実施例では、全ての配線を一対にして記載したが、本発明のように電源線の共通線、起動制御線の共通線および復帰制御線の共通線が電気的に接続（同電位）されているときは一つの共通線でアダプタと防排煙端末を接続しても良い。
【００５３】
例えば火災受信機の電源とは別の電源を各アダプタの近傍に設置して一対の制御線と電気的に分離して、電源線Ｐ＋及び第２の共通線Ｐ−を介して防排煙端末へ作動用の電力を供給するようにしても本発明は実施可能である。またはアダプタと防排煙端末の各組をグループに分けて各アダプタ間を渡り配線で接続してグループ毎の近傍に別電源を各々設置して電源線Ｐ＋及び第２の共通線Ｐ−を介して防排煙端末へ作動用の電力を供給するようにしても良い。これらの場合には火災受信機と防排煙端末間の配線間距離を大幅に延長することが容易に実現できる。
【図面の簡単な説明】
【００５４】
【図１】本発明の防災システムの回路構成図である。
【図２】本発明の防災システムの制御電圧検出回路の出力状態を示す図である。
【図３】従来の防災システムの構成図である。
【符号の説明】
【００５５】
１０        防災システム
２０        火災受信機
２１        状態検出部（状態検出手段）
２２        アイソレータ（絶縁型ＤＣ／ＤＣコンバータ）
３０        アダプタ
３１        制御電圧検出回路（制御信号検出手段）
３２、３３  立上り・立下り検出回路
３４、３５  タイマ
３６、３７  起動・復帰制御出力回路
４０        防排煙端末
４１        駆動部
４２        復帰部
Ｓ１        制御接点
Ｓ２        作動応答接点
Ｓ３        電源監視接点
Ｄ−Ｍ      制御線
ＤＣ−Ｍ    第１の共通線
Ｄ          起動制御線
ＤＣ        第２の共通線
Ｄｆ        復帰制御線
ＤＣｆ      第２の共通線
Ｐ＋        電源線
Ｐ−        第２の共通線
ＤＡ−Ｍ    応答線
【図１】
2005293510.tif 000003
【図２】
2005293510.tif 000004
【図３】
2005293510.tif 000005